(57)【特許請求の範囲】
【請求項１】
記録媒体上に半導体レーザ光源からのレーザ光を出射して所定の記録変調方式に基づくチャネルクロック周期の正の整数倍のデータ長からなる情報を記録する際、前記半導体レーザ光源に所定の発光規則によるパルス発光をさせて前記記録媒体上にマーク又はスペースを形成する光情報記録再生装置において、
前記半導体レーザ光源にバイアスレベル電流を印加するバイアスレベル電流印加手段と、
前記バイアスレベル電流に複数レベルのボトムレベル電流を切り替えて重畳するボトムレベル電流重畳手段と、
前記バイアスレベル電流にスペースレベル電流を重畳するスペースレベル電流重畳手段と、
前記バイアスレベル電流にピークレベル電流を重畳するピークレベル電流重畳手段と、
前記記録媒体への記録時における前記半導体レーザ光源のレーザパワーの検出時、前記ボトムレベル電流重畳手段によって重畳するボトムレベル電流のレベルを切り替えて一時的に前記ピークレベル電流と同一レベルにし、前記ピークレベル電流を最長データ長分に相当する期間だけ一定にして前記半導体レーザ光源を非パルス状態で発光させるように制御する手段と、
前記ピークレベル電流を非パルス状態で発光させたときに検出したピークレベルの電流のパワーと、前記スペースレベル電流によって最長データ長分に相当する期間、前記半導体レーザ光源を発光させたときに検出したスペースレベル電流のパワーとに基づいて前記半導体レーザ光源の微分効率を算出する手段を設けたことを特徴とする光情報記録再生装置。
【請求項２】
記録媒体上に半導体レーザ光源からのレーザ光を出射して所定の記録変調方式に基づくチャネルクロック周期の正の整数倍のデータ長からなる情報を記録する際、前記半導体レーザ光源に所定の発光規則によるパルス発光をさせて前記記録媒体上にマーク又はスペースを形成する光情報記録再生装置において、
前記半導体レーザ光源にバイアスレベル電流を印加するバイアスレベル電流印加手段と、
前記バイアスレベル電流に複数レベルのスペースレベル電流を切り替えて重畳するスペースレベル電流重畳手段と、
前記バイアスレベル電流にピークレベル電流を重畳するピークレベル電流重畳手段と、
前記記録媒体への記録時における前記半導体レーザ光源のレーザパワーの検出時、前記スペースレベル電流重畳手段によって重畳するスペースレベル電流のレベルを切り替えて一時的に前記ピークレベル電流と同一レベルにし、前記ピークレベル電流を最長データ長分に相当する期間だけ一定にして前記半導体レーザ光源を非パルス状態で発光させるように制御する手段と、
前記ピークレベル電流を非パルス状態で発光させたときに検出したピークレベルの電流のパワーと、前記スペースレベル電流によって最長データ長分に相当する期間、前記半導体レーザ光源を発光させたときに検出したスペースレベル電流のパワーとに基づいて前記半導体レーザ光源の微分効率を算出する手段を設けたことを特徴とする光情報記録再生装置。
【発明の詳細な説明】
【０００１】
【発明の属する技術分野】
この発明は、光ディスクなどの記録媒体上に半導体レーザ光源からのレーザ光を照射して情報を記録及び再生する光情報記録再生装置に関する。
【０００２】
【従来の技術】
マルチメディアの普及に伴って音楽用ＣＤ，ＣＤ−ＲＯＭ，最近ではＤＶＤ−ＲＯＭなどの再生専用メディア（記録媒体）や情報再生装置が実用化されている。
【０００３】
また最近では、色素メディアを用いた追記型光ディスクや、光磁気（ＭＯ）メディアを用いた書き換え可能なＭＯディスクの他に相変化型メディアも注目されており、これらの記録媒体を用いた光情報記録再生装置が実用化されている。
【０００４】
上記色素型メディアに情報を記録するための一般的な記録波形としては、例えば、８−１６変調コードなどに基づいて生成した単パルスの半導体レーザ発光波形があるが、その記録波形による単パルス記録では、畜熱のために記録マークが涙状に歪みを生じたりするという不具合がある。
【０００５】
そのため、色素系メディアに情報を記録するためのレーザダイオード（ＬＤ）発光波形規則（ストラテジ）として、図３の（ｅ）に示すように、ＥＦＭ変調コードなどの記録データに基づいたマルチパルス波形のレーザ光によって色素系メディアにマークを形成する方式が提案されている。
【０００６】
上記マルチパルス波形のレーザ光によって形成されるマーク部は、先頭加熱パルスと後続する複数個の連続加熱パルスとによって構成される方式が提案されている。
【０００７】
また、色素系メディアや相変化メディアに記録を行なう際には、記録発光パワーの制御を正しく行なうことが必要である。
ＬＤは自己発熱などによって「駆動電流−発光パワー特性」が容易に変動してしまうので、発光パワーを安定化させる手段として、一般的に自動パワー制御（Ａｕｔｏｍａｔｉｃ  Ｐｏｗｅｒ  Ｃｏｎｔｒｏｌ：ＡＰＣ）が行なわれる。
【０００８】
このＡＰＣは、ＬＤ出射光の一部をフォトディテクタ（ＰＤ）に入射させ、ＬＤ発光パワーに比例して発生するモニタ電流を用いてＬＤ駆動電流を制御するというものである。
【０００９】
ここで、情報再生のみを考慮した場合は、一般的にＬＤ駆動電流はノイズ抑制のために高周波電流が重畳されるが、ＤＣ的には一定電流であるため、比較的低帯域の帰還ループを構成することによって容易にＡＰＣを実現することができる。
【００１０】
一方、記録時にＡＰＣを行なう場合は、マーク／スペースを形成するために記録パワーが高速で変化するため、制御に工夫が必要になる。
例えば、ＣＤ系やＤＶＤ系のディスク媒体では、媒体上の記録データのピットとランドとの長さの差（ｄｉｇｉｔａｌ  ｓｕｍ  ｖａｌｕｅ：ＤＳＶ）がゼロになることを利用して低帯域の帰還ループを構成すれば、再生時と同様に簡易な構成で記録パワーを制御することができるが、正確なパワーを制御することはできなくなる。
【００１１】
そこで、例えば、ＣＤ−Ｒメディアに図１０の（ｃ）に示すようなストラテジで記録を行なう場合、例えば、最長データ長である１１Ｔの長さのマークあるいはスペースのデータを記録する際に、マーク／スペースのそれぞれで発光パワーをサンプル／ホールドするようにすれば、ディスク回転数を４倍速程度にした場合でも制御帯域は数ＭＨｚでよく、比較的安価な構成で正確な記録パワーを制御することができる。
【００１２】
しかし、ＤＶＤ系のディスク媒体の場合は、色素系／相変化系ともに上述したようなマルチパルス発光を行なうことが望ましく、単純なサンプル／ホールド回路では受光系やその後段の回路で非常に高速な制御帯域が必要になり、現実的でない。
【００１３】
このような問題点を解決するものとして、特開平９−１７１６３１号公報に記載された技術では、ＬＤ発光波形を適宜非パルス状態で駆動する期間を設けることにより、相変化メディアの記録時に非晶質化レベル（ピークパワー）と読み出しレベル（ボトムパワー）を制御している。
【００１４】
その特開平９−１７１６３１号公報に記載の技術を、図３の（ｅ）に示したような色素系メディアの記録ストラテジのマーク記録パワー制御に応用した場合、非パルス状態で記録した箇所は連続加熱によって記録マークがうまく形成されずに欠損箇所となるが、比較的長い間隔毎にこのＡＰＣ動作を行なう分にはエラー訂正機能によって再生時に影響はほとんど与えずに済む。
【００１５】
また、スペース記録パワーは一般的に一定パワーであるので、比較的長いスペースデータを記録する際にサンプル／ホールドすることによって記録データに欠損を与えることなくスペース記録パワーの制御を行なうことができる。
従って、スペース記録パワー制御間隔は、マーク記録パワー制御間隔に比べて短い間隔で制御を行なうことが可能である。
【００１６】
【発明が解決しようとする課題】
しかしながら、上述した特開平９−１７１６３１号公報に記載の技術を用いた制御では、ピークパワーとスペースパワーを正確に検出することはできるが、ＬＤ発光波形を生成する制御装置が通常の８−１６変調規則に基づいた発光波形しか生成できない場合、一時的にピークレベルを非パルス状態にするといった不規則な発光を行なうことはできなかった。
【００１７】
また、そのようなＬＤ発光波形制御装置に不規則な発光を行なえるような機能を付加しようとすると、多大なコストが必要になるという問題点があった。
【００１８】
この発明は上記のような問題点を解決するためになされたものであり、半導体レーザ光源の出射光量の検出帯域が限られた範囲であっても正確にピークパワー，スペースパワーを制御して記録を行なえるようにすることを目的とする。
【００１９】
【課題を解決するための手段】
この発明は上記の目的を達成するため、記録媒体上に半導体レーザ光源からのレーザ光を出射して所定の記録変調方式に基づくチャネルクロック周期の正の整数倍のデータ長からなる情報を記録する際、上記半導体レーザ光源に所定の発光規則によるパルス発光をさせて上記記録媒体上にマーク又はスペースを形成する光情報記録再生装置において、上記半導体レーザ光源にバイアスレベル電流を印加するバイアスレベル電流印加手段と、上記バイアスレベル電流に複数レベルのボトムレベル電流を切り替えて重畳するボトムレベル電流重畳手段と、上記バイアスレベル電流にスペースレベル電流を重畳するスペースレベル電流重畳手段と、上記バイアスレベル電流にピークレベル電流を重畳するピークレベル電流重畳手段と、上記記録媒体への記録時における上記半導体レーザ光源のレーザパワーの検出時、上記ボトムレベル電流重畳手段によって重畳するボトムレベル電流のレベルを切り替えて一時的に上記ピークレベル電流と同一レベルにし、上記ピークレベル電流を最長データ長分に相当する期間だけ一定にして上記半導体レーザ光源を非パルス状態で発光させるように制御する手段と、上記ピークレベル電流を非パルス状態で発光させたときに検出したピークレベルの電流のパワーと、上記スペースレベル電流によって最長データ長分に相当する期間、上記半導体レーザ光源を発光させたときに検出したスペースレベル電流のパワーとに基づいて上記半導体レーザ光源の微分効率を算出する手段を設けたものである。
【００２０】
また、記録媒体上に半導体レーザ光源からのレーザ光を出射して所定の記録変調方式に基づくチャネルクロック周期の正の整数倍のデータ長からなる情報を記録する際、上記半導体レーザ光源に所定の発光規則によるパルス発光をさせて上記記録媒体上にマーク又はスペースを形成する光情報記録再生装置において、上記半導体レーザ光源にバイアスレベル電流を印加するバイアスレベル電流印加手段と、上記バイアスレベル電流に複数レベルのスペースレベル電流を切り替えて重畳するスペースレベル電流重畳手段と、上記バイアスレベル電流にピークレベル電流を重畳するピークレベル電流重畳手段と、上記記録媒体への記録時における上記半導体レーザ光源のレーザパワーの検出時、上記スペースレベル電流重畳手段によって重畳するスペースレベル電流のレベルを切り替えて一時的に上記ピークレベル電流と同一レベルにし、上記ピークレベル電流を最長データ長分に相当する期間だけ一定にして上記半導体レーザ光源を非パルス状態で発光させるように制御する手段と、上記ピークレベル電流を非パルス状態で発光させたときに検出したピークレベルの電流のパワーと、上記スペースレベル電流によって最長データ長分に相当する期間、上記半導体レーザ光源を発光させたときに検出したスペースレベル電流のパワーとに基づいて上記半導体レーザ光源の微分効率を算出する手段を設けるとよい。
【００２７】
【発明の実施の形態】
以下、この発明の実施形態を図面に基づいて具体的に説明する。
図１はこの発明の一実施形態の光情報記録再生装置の機能ブロック図である。
【００２８】
この光情報記録再生装置は、色素系メディアの光ディスクにＤＶＤフォーマットのコードデータを記録する情報記録方式と、８−１６変調コードを用いてマークエッジ（ＰＷＭ：Ｐｕｌｓｅ  Ｗｉｄｔｈ  Ｍｏｄｕｌａｔｉｏｎ）記録を行なうデータ変調方式とを採用しており、半導体レーザ光源をマルチパルス発光させて光ディスク上に照射し、その記録領域に記録マークを形成することによって情報の記録を行なう。
【００２９】
すなわち、光情報記録再生装置は、記録媒体上に半導体レーザ光源からのレーザ光を出射して所定の記録変調方式に基づくチャネルクロック周期の正の整数倍のデータ長からなる情報を記録する際、半導体レーザ光源に所定の発光規則によるパルス発光をさせて記録媒体上にマーク又はスペースを形成する装置である。
【００３０】
この光情報記録再生装置は、通常の情報記録を行なう場合は、マルチパルスでマークを形成するためのピークパワー（Ｐｗ）／ボトムパワー（Ｐｂ），スペースを形成するためのスペースパワー（Ｐｓ）の３種類の記録パワーが必要である。そのボトムパワー（Ｐｂ）とスペースパワー（Ｐｓ）は略同じパワーでもよいので、一般的には２種類のパワーで制御することが多い。
【００３１】
しかし、スペースパワーはパワー検出が必要なので、ある程度のレベル以上である必要がある一方、ボトムパワーはできるだけ小さいほうが再生ジッタが良好になる傾向がある。
そこで、この光情報記録再生装置では、ボトムパワー（Ｐｂ）とスペースパワー（Ｐｓ）をそれぞれ個別に制御する。
【００３２】
まず、この光情報記録再生装置における記録時における通常のＡＰＣ動作について説明する。
ＣＰＵ１は、ボトムレベル電流駆動装置８，スペースレベル電流源９，及びピークレベル電流源１０に対して、それぞれ通常ボトムレベル制御信号１０４，スペースレベル制御信号１０６，及びピークレベル制御信号１０７をそれぞれ出力して各装置と電流源の出力電流を設定する。
【００３３】
上記スペースレベル電流源９とピークレベル電流源１０は具体的にはＤＡＣであり、ＣＰＵ１によってデジタル的に設定されたＬＤ駆動電流情報に基づいて、スペースレベル電流源９はアナログ信号であるスペースレベル重畳電流１０９を、ピークレベル電流源１０はピークレベル重畳電流１１０をそれぞれ出力する。
【００３４】
ボトムレベル電流駆動装置８は、後述する構成によってボトムレベル重畳電流１０８を出力する。
ＬＤ駆動装置４は、半導体レーザ光源であるレーザダイオード（ＬＤ）２に発振閾値以上の電流を供給する。そのために、ＣＰＵ１はバイアス電流源１２に対してバイアス電流制御信号１２０を出力して制御し、バイアス電流源１２はＬＤ駆動装置４に上記発振閾値以上の電流を出力するためのバイアス電流１２１を供給する。
【００３５】
また、ＬＤ駆動装置４では、バイアス電流１２１にボトムレベル重畳電流１０８，スペースレベル重畳電流１０９，及びピークレベル重畳電流１１０を重畳し、それぞれのレベルの重畳電流に応じてボトムパワー（Ｐｂ），スペースパワー（Ｐｓ），及びピークパワー（Ｐｗ）の発光レベルを決定する。
【００３６】
ＬＤ発光波形制御装置１１は、記録する情報を、図３の（ｂ）に示す波形の８−１６変調信号に変換し、更に図３の（ｅ）に示すマルチパルス波形の光波形を生成し、その光波形に応じてボトムパワーイネーブル信号１０１，スペースパワーイネーブル信号１０２，及びピークパワーイネーブル信号１０３をＬＤ駆動装置４に供給する。
【００３７】
そして、ＬＤ駆動装置４は、ボトムパワーイネーブル信号１０１，スペースパワーイネーブル信号１０２，及びピークパワーイネーブル信号１０３がハイレベル（Ｈレベル）の時にボトムレベル重畳電流１０８，スペースレベル重畳電流１０９，ピークレベル重畳電流１１０をバイアス電流１２１に適宜重畳してＬＤ２に駆動電流を供給する。
【００３８】
スペースレベルで発光する場合は、図３の（ｃ）に示すように、スペースパワーイネーブル信号１０２も同時にハイレベルになり、ＬＤ駆動装置４はバイアス電流１２１にスペースレベル重畳電流１０９を重畳してＬＤ２の駆動電流として出力する。
【００３９】
また、ピークレベルで発光する場合は、図３の（ｄ）に示すように、ピークパワーイネーブル信号１０３をハイレベルにし、ＬＤ駆動装置４はバイアス電流１２１にピークレベル重畳電流１１０を重畳してＬＤ２の駆動電流として出力する。
【００４０】
さらに、ボトムレベルで発光する場合は、図３の（ｂ）に示すように、ボトムパワーイネーブル信号１０１をハイレベルにし、ＬＤ駆動装置４はバイアス電流１２１にボトムレベル重畳電流１０８を重畳してＬＤ２の駆動電流として出力する。
【００４１】
そして、ＬＤ駆動装置４からＬＤ２に駆動電流が供給されると、ＬＤ２はレーザ光を出射して、図示を省略した光ディスクを照射し、その光ディスク上に記録マークを形成して情報の記録・再生を行なう。
【００４２】
その記録・再生の際、ＬＤ２からの出射光の一部がモニタＰＤ３に入射し、そのモニタＰＤ３から発光パワーに比例したモニタＰＤ出力電流１１２がＩ／Ｖ変換回路５に出力される。
そして、Ｉ／Ｖ変換回路５で「電流−電圧」変換されたパワーモニタ信号１１３を利用することによってＡＰＣを行なう。
【００４３】
上記パワーモニタ信号１１３は、図３の（ｆ）〜（ｈ）に示すように、ロングスペースデータ出力時（例えば、１４Ｔスペースデータ）にＣＰＵ１から出力されるサンプルタイミング信号１１１がハイレベルの期間でサンプル／ホールド回路６によってサンプル／ホールドされ、Ａ／Ｄコンバータ７でデジタル化されてスペースパワーサンプル信号１１４としてＣＰＵ１に出力される。
【００４４】
ＣＰＵ１は、スペースパワーサンプル信号１１４を基準値と比較して、スペースパワー（Ｐｓ）が適正な値になるようにスペースレベル制御信号１０６の値を補正する。
また、ボトムパワー（Ｐｂ）とピークパワー（Ｐｗ）は、上記補正されたスペースパワー（Ｐｓ）と微分効率ηとから重畳電流を算出して補正する。
【００４５】
上記微分効率ηは、図５に線図で示すように、「ＬＤ駆動電流−ＬＤ発光パワー」特性の直線の傾き：ＬＤ発光パワーの差分（ΔＰ）／ＬＤ駆動電流の差分（ΔＩ）として定義する。
【００４６】
ここで、ボトムパワー（Ｐｂ），スペースパワー（Ｐｓ），ピークパワー（Ｐｗ）に対応するＬＤ駆動電流をそれぞれＩｂ，Ｉｓ，Ｉｗとすると、ボトムパワー（Ｐｂ），ピークパワー（Ｐｗ）は次の数１の（１）と（２）に示すような関係式で表すことができる。
【００４７】
【数１】
Ｐｂ＝Ｐｓ−η×（Ｉｓ−Ｉｂ）…（１）
Ｐｗ＝Ｐｓ＋η×（Ｉｗ−Ｉｓ）…（２）
【００４８】
上記（１）と（２）の関係式に基づいてボトムレベル駆動電流（Ｉｂ）とピークレベル駆動電流（Ｉｗ）は、次の数２の（３）と（４）の関係式によって算出することができる。
【００４９】
【数２】
Ｉｂ＝Ｉｓ−（Ｐｓ−Ｐｂ）／η…（３）
Ｉｗ＝Ｉｓ＋（Ｐｗ−Ｐｓ）／η…（４）
【００５０】
ＣＰＵ１では、上述のようにしてボトムレベル駆動電流（Ｉｂ）とピークレベル駆動電流（Ｉｗ）を算出して、それぞれボトムレベル電流駆動装置８とピークレベル電流源１０を制御する。
【００５１】
このように、バイアス電流１２１に電流加算することによってボトムレベル，スペースレベル，ピークレベルのＬＤ駆動電流にしているので、バイアス電流１２１を「Ｉｂｉａｓ」，ボトムレベル重畳電流１０８を「ΔＩｂ」，スペースレベル重畳電流１０９を「ΔＩｓ」，ピークレベル重畳電流１１０を「ΔＩｗ」とすると、ボトムレベル駆動電流，スペースレベル駆動電流，ピークレベル駆動電流はそれぞれ次の数３に示す（５）〜（７）の関係式で表すことができる。
【００５２】
【数３】
Ｉｂ＝Ｉｂｉａｓ＋ΔＩｂ…（５）
Ｉｓ＝Ｉｂｉａｓ＋ΔＩｓ…（６）
Ｉｗ＝Ｉｂｉａｓ＋ΔＩｗ…（７）
【００５３】
ここで、通常のＡＰＣが行なわれる時間間隔は、以後に述べる微分効率算出シーケンスの時間間隔に比べて比較的短い間隔とする。
例えば、８−１６記録変調方式の最長データ長である１４Ｔスペースが出力された時にスペースレベルをサンプリングするようにする。
【００５４】
また、ＤＶＤ規格においては１４Ｔデータ長はＳＹＮＣコードなので、スペースパワーのサンプル期間を１４Ｔスペースデータ出力時にする場合は、ＳＹＮＣフレーム（１４８８Ｔ）のほぼ２回に一回毎にサンプル／ホールドを行なうことになる。
【００５５】
なお、１４Ｔデータは、ＤＳＶをゼロにするために、所定の規則に従って１４Ｔマークあるいは１４Ｔスペースが選ばれるので、必ずしも２ＳＹＮＣに１回で１４Ｔスペースが出力されるわけではないが、この実施形態では便宜上、交互に１４Ｔマークと１４Ｔスペースが出現するものとみなす。
【００５６】
このようにして、ロングスペースデータ出力時にサンプリングしたスペースレベルと予め求めた微分効率ηとに基づいてボトムレベルとピークレベルのパワーを算出することにより、低帯域の回路構成でも各レベルのパワー補正を行なうことができる。
【００５７】
次に、図６に線図で示すように、記録動作中に微分効率ηが変動してしまうと、Ｉｂ，Ｉｗの算出に誤差が生じ、ボトムパワーとピークパワーの補正が正確に行なえなくなる。
【００５８】
この記録中に微分効率ηを再算出する方法として、上述した特開平９−１７１６３１号公報に記載の技術のようにして、スペースレベルとピークレベルの２点でパワーをサンプルする方法があるが、その方法ではＬＤ発光波形制御装置１１に一時的に非パルス状態にするといった不規則な発光を行なう機能を付加しなければならなくなる。
【００５９】
そこで、この実施形態の光情報記録再生装置では、ボトムレベルを適宜複数レベルに切り替えられるような構成にし、ボトムレベルを一時的にピークレベルと同じレベルにすることによってピークレベルが非パルス状態になるように制御する。その制御の結果、ピークレベルがサンプルホールドできるようになり、微分効率ηを算出することができる。
【００６０】
すなわち、上記ＣＰＵ１，ＬＤ駆動装置４，及びバイアス電流１２１等が、半導体レーザ光源にバイアスレベル電流を印加するバイアスレベル電流印加手段の機能を果たす。
上記ＣＰＵ１，ＬＤ駆動装置４，及びボトムレベル電流駆動装置８等が、バイアスレベル電流に複数レベルのボトムレベル電流を切り替えて重畳するボトムレベル電流重畳手段の機能を果たす。
【００６１】
上記ＣＰＵ１，ＬＤ駆動装置４，及びスペースレベル電流源９等が、バイアスレベル電流にスペースレベル電流を重畳するスペースレベル電流重畳手段の機能を果たす。
上記ＣＰＵ１，ＬＤ駆動装置４，及びピークレベル電流源１０等が、バイアスレベル電流にピークレベル電流を重畳するピークレベル電流重畳手段の機能を果たす。
【００６２】
上記ＣＰＵ１等が、記録媒体への記録時における前記半導体レーザ光源のレーザパワーの検出時、ボトムレベル電流重畳手段によって重畳するボトムレベル電流のレベルを切り替えて一時的にピークレベル電流と同一レベルにし、ピークレベル電流を最長データ長分に相当する期間だけ一定にして半導体レーザ光源を非パルス状態で発光させるように制御する手段の機能を果たす。
【００６３】
また、ＣＰＵ１等は、ピークレベル電流を非パルス状態で発光させたときに検出したピークレベルの電流のパワーと、スペースレベル電流によって最長データ長分に相当する期間、半導体レーザ光源を発光させたときに検出したスペースレベル電流のパワーとに基づいて半導体レーザ光源の微分効率を算出する手段の機能を果たす。
【００６４】
さらに、ＣＰＵ１等は、上記所定期間を、記録情報が所定長以上のマーク情報出力期間になるように設定する手段の機能も果たす。
【００６５】
以下、図２と図４を用いてこの光情報記録再生装置におけるこの発明に係わる微分効率算出シーケンスについて説明する。
ボトムレベル電流駆動装置８は、図２に示すように２つのＤ／Ａコンバータ８０２と８０３とスイッチ８０４とから構成される。
そして、スイッチ８０４によって選択されたＤＡＣからボトムレベル重畳電流が出力される。
【００６６】
ＤＡＣ８０２は、通常ボトムレベル制御信号１０４により、ボトムレベルが通常ボトムレベル（Ｐｂ）になるように設定され、通常の記録時の発光を行なっている場合はボトムレベル切り替え信号１１５によってスイッチ８０４はハイ（Ｈ）側に設定される。
【００６７】
ＣＰＵ１では、通常のＡＰＣ間隔よりも低頻度で微分効率算出シーケンスを始動する（その頻度は、ＬＤ２の微分効率ηの時間的変動によって決まり、実験的に求めておくものとする）。
【００６８】
まず、ＣＰＵ１は、η算出時ボトムレベル制御信号１０５により、ＬＤ２がピークパワー（Ｐｗ）のレベルで発光するようにＤＡＣ８０３を設定する（図４の状態遷移の（２）を参照）。
【００６９】
そのシーケンス状態で、記録情報として１４Ｔマークデータが出力される際に、ＣＰＵ１はボトムレベル切り替え信号１１５をロー（Ｌ）にしてボトムレベルの重畳電流がＤＡＣ８０３からの出力になるようにして、それと同時にサンプルタイミング信号１１１をハイ（Ｈ）にする。
【００７０】
すると、ボトムレベルとピークレベルが一時的に同じレベルになるので、ＬＤ２は１４Ｔ期間のみピークレベル一定で（非パルス状態で）発光する。
このレベルのパワーはサンプルホールド回路６でサンプルされてＣＰＵ１に出力されるが、ＣＰＵ１では通常のＡＰＣ時にサンプルされるスペースレベルとは区別してサンプル値を取得する。
【００７１】
ＣＰＵ１は、１４Ｔマークデータ出力後、ボトムレベル切り替え信号１１５をすぐにハイ（Ｈ）に戻すので、以降のボトムレベル発光は通常のボトムレベル（Ｐｂ）に復帰する（図４の状態遷移の（３）を参照）。
【００７２】
このようにして、非パルス状態で記録した箇所は連続加熱によって記録マークがうまく形成されずに欠損箇所となるが、１４Ｔマークデータ出力時のみに一度だけ非パルス状態になるようにし、比較的長い間隔毎にこのシーケンスを行なうようにすれば、エラー訂正機能によって再生時に影響をほとんど与えなくなる。
【００７３】
ＣＰＵ１では、このように取得したピークレベルのパワー（Ｐｗ）と通常のＡＰＣ動作時にサンプルしたスペースレベルのパワー（Ｐｓ）と、それぞれのＬＤ駆動電流ＩｓとＩｗに基づいて下記の数４に示す（８）の関係式で微分効率ηを算出する。
【００７４】
【数４】
η＝（Ｐｗ−Ｐｓ）／（Ｉｗ−Ｉｓ）…（８）
【００７５】
このようにして、この実施形態の光情報記録再生装置は、記録時におけるレーザパワーの検出に際して、ボトムレベル電流重畳手段を切り替えてピークレベルと同一のレベルで発光するようにすることにより、ピークレベルが所定期間非パルス状態で発光するように制御し、その制御に基づいてピークレベルのパワーを検出するので、８−１６変調規則に基づいた規則的なＬＤ発光波形しか出力できないＬＤ発光波形制御装置を用いた場合でも、一時的に不規則なＬＤ発光を行なうことができ、検出帯域の限られた出射光量検出器を使用しても正確にピークパワー，スペースパワーを制御して記録を行なうことができる。
【００７６】
また、ピークレベルを所定期間非パルス状態で発光させることによって検出したピークレベルパワーと、スペースレベル発光時に検出したスペースレベルパワーとによってレーザの微分効率を算出するので、各記録レベルの補正を正確に行なうことができる。
【００７７】
さらに、ピークレベルを非パルス状態で発光させるためにボトムレベル又はスペースレベルをピークレベルと同一にする所定期間は、記録情報が所定長以上のマーク情報出力期間にしたので、ボトムレベル又はスペースレベルを速やかに通常レベルに復帰し、再生時ジッタ劣化への影響を防ぐことができる。
【００７８】
次に、この発明の他の実施形態について説明する。
上述の実施形態の光情報記録再生装置では、ボトムレベル（Ｐｂ）とスペースレベル（Ｐｓ）を個別に制御したが、上述したようにボトムレベルとスペースレベルは略同じレベルで制御することも可能である。
【００７９】
そこで、次の実施形態の光情報記録再生装置では、ボトムレベルとスペースレベルを同じ電流源で駆動する。
【００８０】
図７は、この発明の他の実施形態の光情報記録再生装置の構成を示すブロック図であり、図１と共通する部分には同一符号を付している。
この光情報記録再生装置は、ＣＰＵ１がスペースレベル電流駆動装置１００９，及びピークレベル電流源１０１０に対して、それぞれ通常スペースレベル制御信号１１０５，ピークレベル制御信号１１０７をそれぞれ出力して上記装置と電流源の出力電流を設定する。
【００８１】
ＬＤ駆動装置１００４は、ＬＤ２に発振閾値以上の電流を供給する。そのために、ＣＰＵ１はバイアス電流源１２に対してバイアス電流制御信号１２０を出力して制御し、バイアス電流源１２はＬＤ駆動装置１００４に上記発振閾値以上の電流を出力するためのバイアス電流１２１を供給する。
【００８２】
また、ＬＤ駆動装置１００４では、バイアス電流１２１にスペースレベル重畳電流１１０９，及びピークレベル重畳電流１１１０を重畳し、それぞれのレベルの重畳電流に応じてスペースパワー（Ｐｓ），及びピークパワー（Ｐｗ）の発光レベルを決定する。
【００８３】
ＬＤ発光波形制御装置１０１１は、記録する情報を、図９（ａ）に示す波形の８−１６変調信号に変換し、更に図９の（ｄ）に示すマルチパルス波形の光波形を生成し、その光波形に応じてスペースパワーイネーブル信号１１０２，ピークパワーイネーブル信号１１０３をＬＤ駆動装置１００４に供給する。
【００８４】
そして、ＬＤ駆動装置１００４は、スペースパワーイネーブル信号１１０２，ピークパワーイネーブル信号１１０３がハイ（Ｈ）レベルの時にスペースレベル重畳電流１１０９，ピークレベル重畳電流１１１０をバイアス電流１２１に適宜重畳してＬＤ２に駆動電流を供給する。
【００８５】
スペースレベル・ボトムレベルで発光する場合は、図９の（ｂ）に示すように、スペースパワーイネーブル信号１１０２がハイ（Ｈ）になり、ＬＤ駆動装置１００４はスペースレベル重畳電流１１０９をバイアス電流１２１に重畳してＬＤ２の駆動電流として出力する。
【００８６】
また、ピークレベルで発光する場合は、図９の（ｃ）に示すように、ピークパワーイネーブル信号１１０３をハイ（Ｈ）にし、ＬＤ駆動装置１００４はピークレベル重畳電流１１１０をバイアス電流１２１に重畳してＬＤ２の駆動電流として出力する。
【００８７】
すなわち、上記ＣＰＵ１，バイアス電流源１２，及びＬＤ駆動装置１００４等が、半導体レーザ光源にバイアスレベル電流を印加するバイアスレベル電流印加手段の機能を果たす。
【００８８】
上記ＣＰＵ１，ＬＤ駆動装置１００４，及びスペースレベル電流駆動装置１００９等が、バイアスレベル電流に複数レベルのスペースレベル電流を切り替えて重畳するスペースレベル電流重畳手段の機能を果たす。
【００８９】
上記ＣＰＵ１，ＬＤ駆動装置１００４，及びピークレベル電流源１０１０等が、バイアスレベル電流にピークレベル電流を重畳するピークレベル電流重畳手段の機能を果たす。
【００９０】
上記ＣＰＵ１等が、記録媒体への記録時における半導体レーザ光源のレーザパワーの検出時、スペースレベル電流重畳手段によって重畳するスペースレベル電流のレベルを切り替えて一時的にピークレベル電流と同一レベルにし、ピークレベル電流を最長データ長分に相当する期間だけ一定にして半導体レーザ光源を非パルス状態で発光させるように制御する手段の機能を果たす。
【００９１】
また、ＣＰＵ１等は、ピークレベル電流を非パルス状態で発光させたときに検出したピークレベルの電流のパワーと、スペースレベル電流によって最長データ長分に相当する期間、半導体レーザ光源を発光させたときに検出したスペースレベル電流のパワーとに基づいて半導体レーザ光源の微分効率を算出する手段の機能を果たす。
【００９２】
さらに、ＣＰＵ１等は、上記所定期間を、記録情報が所定長以上のマーク情報出力期間になるように設定する手段の機能も果たす。
【００９３】
次に、上記光情報記録再生装置におけるこの発明に係わる微分効率算出シーケンスについて説明する。
スペースレベル電流駆動装置１００９は、図８に示すように２つのＤ／Ａコンバータ１９０２と１９０３とスイッチ１９０４とから構成される。
そして、スイッチ１９０４によって選択されたＤＡＣからスペースレベル重畳電流１１０９が出力される。
【００９４】
ＤＡＣ１９０２は、通常スペースレベル制御信号１１０５により、スペースレベルが通常スペースレベル（Ｐｓ）になるように設定され、通常の記録時の発光を行なっている場合はスペースレベル切り替え信号１１１５によってスイッチ１９０４はハイ（Ｈ）側に設定される。
【００９５】
ＣＰＵ１は、この微分効率シーケンスが始動すると、まず、η算出時スペースレベル制御信号１１０６により、ＬＤ２がピークパワー（Ｐｗ）のレベルで発光するようにＤＡＣ１９０３を設定する。
【００９６】
そのシーケンス状態で、記録情報として１４Ｔマークデータが出力される際に、ＣＰＵ１はスペースレベル切り替え信号１１１５をロー（Ｌ）にしてスペースレベルの重畳電流がＤＡＣ１９０３からの出力になるようにして、それと同時に、サンプルタイミング信号１１１をハイ（Ｈ）にする。
【００９７】
すると、スペースレベルとピークレベルが一時的に同じレベルになるので、ＬＤ２は１４Ｔ期間のみピークレベル一定で（非パルス状態で）発光する。
このレベルのパワーはサンプルホールド回路６でサンプルされてＣＰＵ１に出力される。
【００９８】
この実施形態の光情報記録再生装置では、発光レベルがスペースレベル／ピークレベルのみなので、このように取得したピーク（レベルの）パワー（Ｐｗ）と通常ＡＰＣ動作時に検出しているスペース（レベルの）パワー（Ｐｓ）とで正確なパワー制御を行なうことができる。
【００９９】
そして、上述の先の実施形態の光情報記録再生装置と同様に、数４に示した（８）の関係式を用いて微分効率ηを算出することができる。
その算出された微分効率ηを用いることによって、バイアス電流１２１を補正する構成にすることも可能である。
【０１００】
このようにして、この実施形態の光情報記録再生装置は、スペースレベル電流重畳手段を切り替えてピークレベルと同一のレベルで発光するようにすることによってピークレベルが所定期間非パルス状態で発光するように制御し、その制御に基づいてピークレベルのパワーを検出するので、８−１６変調規則に基づいた規則的なＬＤ発光波形しか出力できないＬＤ発光波形制御装置を用いた場合でも、一時的に不規則なＬＤ発光を行なうことができ、検出帯域の限られた出射光量検出器を使用しても正確にピークパワー，スペースパワーを制御して記録を行なうことができる。
【０１０１】
【発明の効果】
以上説明してきたように、この発明の光情報記録再生装置によれば、半導体レーザ光源の出射光量の検出帯域が限られた範囲であっても正確にピークパワー，スペースパワーを制御して記録を行なえるようにすることができる。
【図面の簡単な説明】
【図１】この発明の一実施形態の光情報記録再生装置の機能ブロック図である。
【図２】図１に示した光情報記録再生装置のボトムレベル電流駆動装置８の内部構成を示すブロック図である。
【図３】図１に示した光情報記録再生装置の再生時，通常記録時，及び微分効率算出時に各部から出力される信号を示す波形図である。
【図４】図１に示した光情報記録再生装置の微分効率算出シーケンス時に各部から出力される信号を示す波形図である。
【図５】図１に示した光情報記録再生装置におけるＬＤ駆動電流−ＬＤ発光パワーの関係を示す線図である。
【図６】図１に示した光情報記録再生装置における記録動作中に微分効率ηが変動したときのＬＤ駆動電流−ＬＤ発光パワーの関係を示す線図である。
【図７】この発明の他の実施形態の光情報記録再生装置の構成を示すブロック図である。
【図８】図７に示した光情報記録再生装置のスペースレベル電流駆動装置１００９の内部構成を示すブロック図である。
【図９】図７に示した光情報記録再生装置の再生時，通常記録時，及び微分効率算出時に各部から出力される信号を示す波形図である。
【図１０】記録媒体にデータを記録するときのチャネルクロック，記録データ，及びＬＤ発光波形の一例を示す線図である。
【符号の説明】
１：ＣＰＵ                  ２：レーザダイオード（ＬＤ）
３：モニタＰＤ              ４，１００４：ＬＤ駆動装置
５：Ｉ／Ｖ変換回路          ６：サンプルホールド回路
７：Ａ／Ｄコンバータ        ８：ボトムレベル電流駆動装置
９：スペースレベル電流源    １０，１０１０：ピークレベル電流源
１１，１０１１：ＬＤ発光波形制御装置
１２：バイアス電流源
８０２，８０３，１９０２，１９０３：Ｄ／Ａコンバータ（ＤＡＣ）
８０４，１９０４：スイッチ
１００９：スペースレベル電流駆動装置
１０１：ボトムパワーイネーブル信号
１０２，１１０２：スペースパワーイネーブル信号
１０３，１１０３：ピークパワーイネーブル信号
１０４：通常ボトムレベル制御信号
１０５：η算出時ボトムレベル制御信号
１０６：スペースレベル制御信号
１０７，１１０７：ピークレベル制御信号
１０８：ボトムレベル重畳電流
１０９，１１０９：スペースレベル重畳電流
１１０，１１１０：ピークレベル重畳電流
１１１：サンプルタイミング信号
１１２：モニタＰＤ出力電流
１１３：パワーモニタ信号
１１４：スペースパワーサンプル信号
１１５：ボトムレベル切り替え信号
１２０：バイアス電流制御信号
１２１：バイアス電流
１１０５：通常スペースレベル制御信号
１１０６：η算出時スペースレベル制御信号
１１１５：スペースレベル切り替え信号
【図１】
0003756704.tif 000002
【図２】
0003756704.tif 000003
【図３】
0003756704.tif 000004
【図４】
0003756704.tif 000005
【図５】
0003756704.tif 000006
【図６】
0003756704.tif 000007
【図７】
0003756704.tif 000008
【図８】
0003756704.tif 000009
【図９】
0003756704.tif 000010
【図１０】
0003756704.tif 000011